(57)【要約】【課題】常時通信を避けながら、検知手段が警戒状態に設定可能な状態かを確認する。【解決手段】無線通信を用いて警備装置１０の警備モードを変更する警備モード変更装置３０が、警備モード変更指令を送信するためのモード変更指令手段３７と、電源３６と、モード変更指令手段３７とは別に設けられ所定の操作により電源３６からの電力供給を開始するための起動手段３３と、警備モードの変更が可能かを示す変更可否情報を含む警備状態を取得する警備状態取得手段３１２と、起動手段３３に対して所定の操作が行われたとき、起動手段３３により電力供給が開始され、警備状態取得手段３１２により警備状態を取得し、警備モードの変更が可能な場合、モード変更指令手段３７により警備装置１０の警備モードが変更された後、電源３６からの電力供給を終了し、警備モードの変更が不可能な場合、電源３６からの電力供給を終了する間欠動作制御手段３１０を備える。【選択図】図４
2016048452.tif 000002
【特許請求の範囲】
【請求項１】
警備領域内の異常を検知する検知手段からの出力に基づいて警備を行う警戒状態と、警備を行わない警戒解除状態とを含む複数の警備モードのうちのいずれかに設定可能に構成された警備装置と、
前記警備装置の前記警備モードの設定を変更可能に構成された警備モード変更装置と、を備えた警備システムであって、
前記警備モード変更装置が、
無線通信を用いて前記警備装置の前記警備モードを変更するように構成され、
前記警備装置に対して前記警備モードを変更するように指令を送信するためのモード変更指令手段と、
前記警備装置における前記警備モードの変更が可能かを示す変更可否情報を含む警備状態を前記警備装置から取得する警備状態取得手段と、を備え、
前記警備状態取得手段により前記警備状態が取得され、前記警備モードの変更が可能な場合に、前記モード変更指令手段により前記警備装置の前記警備モードを変更できるように構成された警備システム。
【請求項２】
前記警備モード変更装置及び前記警備装置に、固有の識別情報が設定され、
前記警備モード変更装置が、前記警備装置の識別情報を１つ記憶する変更装置側記憶手段を備え、
前記警備装置が、前記警備モード変更装置の識別情報を少なくとも１つ記憶する警備装置側記憶手段を備え、
前記警備モード変更装置と前記警備装置とが、無線通信開始時に、互いに通信相手の識別情報を記憶しているかを確認する相互認証を行い、当該相互認証が成功した場合に限り、前記警備モード変更装置から前記警備装置の前記警備モードを変更可能に構成された請求項１に記載の警備システム。
【請求項３】
前記警備装置側記憶手段が、前記警備モード変更装置の識別情報を複数記憶する請求項２に記載の警備システム。
【請求項４】
前記警備装置が、前記警備装置側記憶手段に記憶される前記警備モード変更装置の識別情報を変更するための識別情報変更手段を備える請求項２または３に記載の警備システム。
【請求項５】
前記モード変更指令手段が、固有の識別情報を有する情報記憶媒体が所定の領域内に存在する場合に前記警備装置に対して前記警備モードを変更するように指令を送信する構成された請求項１〜４のいずれか一項に記載の警備システム。
【請求項６】
前記警備モード変更装置が、
前記モード変更指令手段とは別に設けられ、所定の操作により電源からの電力供給を開始するための起動手段と、
前記起動手段に対して前記所定の操作が行われ、前記起動手段により電力供給が開始されたとき、前記警備状態取得手段により前記警備状態を取得し、
前記警備モードの変更が可能な場合、前記モード変更指令手段により前記警備装置の前記警備モードが変更された後、前記電源からの電力供給を終了し、
前記警備モードの変更が不可能な場合、前記電源からの電力供給を終了する間欠動作制御手段と、を備える請求項１〜５のいずれか一項に記載の警備システム。
【発明の詳細な説明】
【技術分野】
【０００１】
本発明は、警備領域内の異常を検知する検知手段からの出力に基づいて警備を行う警戒状態と、警備を行わない警戒解除状態とを含む複数の警備モードのうちのいずれかに設定可能に構成された警備装置と、
前記警備装置の前記警備モードの設定を変更可能に構成された警備モード変更装置と、を備えた警備システムに関する。
【背景技術】
【０００２】
一般家庭やビル内などの警備エリア内を警備するための警備システムにおいて、警備を開始するための仕組みとしては、コントローラに暗証番号用のスイッチやカードリーダ機能を組み込み、それらを操作する方法がある。コントローラは、例えば、一般家庭の場合、リビングルーム等、家の中央に設置されることが多く、警戒状態で外出し、帰宅時に警戒解除する場合など、必ずコントローラ設置位置まで行って解除するという手間が必要になる。
【０００３】
警戒状態の解除操作は玄関などに設置したセンサが反応してから、一定時間内に行う必要があり誤警報が発報されるリスクを減らすためには、その時間を長くすれば良いが、防犯の性質上解除操作までの時間は極力短い方が良い。そのため、上記暗証番号用のスイッチやカードリーダを独立させ、例えば、玄関付近など、利便性の高い場所に別置き可能に構成されたシステムも存在している。具体的には、特許文献１に示されるように、利用者がＲＦＩＤ（Radio Frequency IDentifier）タグを所定のＲＦＩＤリーダにかざすことで、ＲＦＩＤリーダが接続されたコントローラに信号が伝達され、警戒状態を変更可能なシステムが存在している。
【０００４】
このようなシステムにおいてカードリーダを玄関に設置する場合には、警備で使用するカードをコントローラに登録する際、コントローラを登録モードへ切り替えるとともに、カードリーダで登録するカードを読み込む必要がある。すなわち、カードの登録時には、カードリーダとコントローラの両方を操作する必要がある。仮に、１人で登録作業をするのであれば、例えばコントローラが設置されたリビングとカードリーダが設置された玄関を往復する必要がある。また往復の手間を減らそうとすれば、２人で登録作業を行うことになる。
【０００５】
また別の課題としては、カードリーダを玄関に設置する場合には、コントローラとの配線工事が必要となり、施工コストが高くなる。さらに別の課題としては、このようなシステムでは、カードリーダは設置場所が固定されるため、例えば、玄関に固定されたカードリーダはコントローラを外出警戒モードに設定する用途のみに、寝室に固定されたカードリーダは在宅警戒モードに設定する用途のみに用いるといったように、カードリーダの使用用途が限定されてしまうという課題がある。
【０００６】
このような課題を踏まえ、出願人らは、カードリーダを無線化し、カードリーダとコントローラとの間で無線通信を行うように構成することで、カードリーダの可搬性を改善し、汎用性を高めるとともに、警備システムの施工コストや使い勝手を高めたシステムを発明した。
【先行技術文献】
【特許文献】
【０００７】
【特許文献１】特開２００９−０９３５２０号公報
【発明の概要】
【発明が解決しようとする課題】
【０００８】
しかしながら、カードリーダを無線化された場合の課題としては、以下の点がある。利用者の利便性を考慮すると、無線化されたカードリーダを用いて警戒状態に設定するにあたっては、検知手段の状態が警戒状態に設定可能な状態であるかを確認することが望ましい。よって、本願発明の目的は、検知手段の状態が警戒状態に設定可能な状態であるかを確認可能とすることにある。さらに、カードリーダとコントローラとが有線で通信する場合には、当該状態を常時確認することも可能であるが、無線で通信する場合には、常時確認を行うと電力消費が大きく、また、カードリーダが複数存在する場合や無線通信を行う検知手段が存在する場合には混信するおそれがある。そこで、本願発明の別の目的は、常時通信することを避けながら、検知手段の状態が警戒状態に設定可能な状態であるかを確認することにある。
【０００９】
カードリーダ設置時の登録や、コントローラとカードリーダの紐付けのための登録の削除を行う場合、作業員がコントローラの設置場所に行き、設定器で登録や削除操作を行う必要がある。
【００１０】
また、仮に、カードリーダ撤去時の登録抹消作業を実施しない場合には、以下の問題が発生し得る。利用者が、カードリーダの撤去を希望した時、現地での登録抹消作業なしにカードリーダを、顧客自身によって返送してもらうという運用を行った場合、削除に関する人員・コストは簡略化できる。しかしながら、回収した無線リーダ―を、当初使用していたコントローラの近所に設置されたコントローラに新たに登録し、使用してしまうと、当初使用していたコントローラと新たに登録されたコントローラとの両方に対して同時に通信を行う恐れがある。
【００１１】
以上のように、カードリーダの撤去時には、現地での登録抹消作業を行うことが望ましい。しかしながら、そのためには警備システムの運用にあたり、人的コストがかさむという問題がある。そこで、本願発明の別の目的は、カードリーダのような無線を用いた操作装置の撤去時に、現地での作業員による作業なしで、運用できる警備システムを実現し、警備システムにかかる人的コストを削減することにある。
【課題を解決するための手段】
【００１２】
上記目的を達成するため、本願発明に係る警備システムの特徴構成は、警備領域内の異常を検知する検知手段からの出力に基づいて警備を行う警戒状態と、警備を行わない警戒解除状態とを含む複数の警備モードのうちのいずれかに設定可能に構成された警備装置と、前記警備装置の前記警備モードの設定を変更可能に構成された警備モード変更装置と、を備えた警備システムであって、前記警備モード変更装置が、無線通信を用いて前記警備装置の前記警備モードを変更するように構成され、前記警備装置に対して前記警備モードを変更するように指令を送信するためのモード変更指令手段と、前記警備装置における前記警備モードの変更が可能かを示す変更可否情報を含む警備状態を前記警備装置から取得する警備状態取得手段と、を備え、前記警備状態取得手段により前記警備状態が取得され、前記警備モードの変更が可能な場合に、前記モード変更指令手段により前記警備装置の前記警備モードを変更できるように構成される点にある。
【００１３】
上記特徴構成によれば、警備モード変更装置は、起動手段に対して所定の操作が行われ、モード変更指令手段により警備装置に警備モードを変更するように指令を送信する前に、警備状態取得手段により警備モードの変更が可能か否かを示す変更可否情報を警備装置から取得することができる。この際、例えば、警備装置が警備モードとして外出警備モードと在宅警備モードなど複数の警備モードを備える場合には、各警備モードへの変更可否情報を取得することで、警備モード変更装置によってどちらの警備モードに変更するかを選択可能な構成とできる。また、例えば、警備モード変更装置が、取得した変更可否情報を外部出力する（例えば、音や光、振動での出力や、利用者の携帯端末などへの通信によって通知を行う）ように構成すれば、利用者はモード変更指令手段を操作する前に、モード変更指令手段を操作して警備モードを変更できるか否かを把握でき、警備モードが変更できないにも関わらずモード変更指令手段を操作するといった無駄な動きを省くことができる。
【００１４】
また、さらなる特徴構成としては、前記警備モード変更装置及び前記警備装置に、固有の識別情報が設定され、前記警備モード変更装置が、前記警備装置の識別情報を１つ記憶する変更装置側記憶手段を備え、前記警備装置が、前記警備モード変更装置の識別情報を少なくとも１つ記憶する警備装置側記憶手段を備え、前記警備モード変更装置と前記警備装置とが、無線通信開始時に、互いに通信相手の識別情報を記憶しているかを確認する相互認証を行い、当該相互認証が成功した場合に限り、前記警備モード変更装置から前記警備装置の前記警備モードを変更可能に構成される点にある。
【００１５】
上記特徴構成によれば、警備モード変更装置は、無線通信の相手となる警備装置の識別情報を１つだけ記憶するように構成される。また、警備モード変更装置と警備装置とが互いの識別情報を記憶している場合にのみ、相互認証が成功し、警備モード変更装置から警備装置の警備モードを変更することができる。
【００１６】
このため、例えば、一の警備装置と無線通信するように構成されていた警備モード変更装置を撤去する際には、撤去した警備モード変更装置の変更装置側記憶手段に記憶された警備装置の識別情報を変更または消去するのみで、当該警備装置と撤去した警備モード変更装置とは相互認証が成功しなくなり、警備モード変更装置から警備装置の警備モードを変更不能となる。すなわち、警備装置の警備装置側記憶手段に変更を加えることなく、警備装置と撤去した警備モード変更装置との通信が正常終了しないようにすることができる。
【００１７】
よって、警備モード変更装置の撤去時には、警備システムの利用者が、警備モード変更装置をそのまま警備システムの事業者に対して返却するだけでも問題なく、警備装置が設置された現場で作業者が何らかの作業を行う必要がなくなる。以上のように、無線通信を用いる警備モード変更装置の撤去時に、現地での作業員による作業なしで、運用できる警備システムを実現し、警備システムの運用及び保守コストを削減することができる。
【００１８】
本願発明に係る警備システムにおいては、上記特徴構成に加えて、前記警備装置側記憶手段が、前記警備モード変更装置の識別情報を複数記憶する構成とすると好適である。
【００１９】
上記特徴構成によれば、一の警備装置に対して、複数の警備モード変更装置を用いて警備モードの変更を行うことができる。よって、警備装置に対して警備モード変更装置を複数用意し、場所や用途ごとに警備モード変更装置を使い分けることが可能となる。具体的には、例えば、玄関に加え、寝室やリビングに設置するなどの使い方が可能となる。すなわち、警備システムの運用及び保守コストを削減しつつ、利用者にとっても利便性の高い警備システムを実現できる。
【００２０】
加えて、前記警備装置が、前記警備装置側記憶手段に記憶される前記警備モード変更装置の識別情報を変更するための識別情報変更手段を備える構成とすると好適である。
【００２１】
上記特徴構成によれば、警備装置に識別情報変更手段を備えることにより、識別情報の変更操作を簡便に行うことが可能となる。具体的には、例えば、警備装置の設置時に、作業員が、別途警備装置側記憶手段に記憶された警備モード装置の識別情報を変更するための設定器などの機材を用意する必要がなくなる。よって、警備システムの運用及び保守コストを一層削減することができる。
【００２２】
また、前記モード変更指令手段が、固有の識別情報を有する情報記憶媒体が所定の領域内に存在する場合に前記警備装置に対して前記警備モードを変更するように指令を送信すると好適である。
【００２３】
また、別の特徴構成としては、前記警備モード変更装置が、前記モード変更指令手段とは別に設けられ、所定の操作により電源からの電力供給を開始するための起動手段と、前記起動手段に対して前記所定の操作が行われ、前記起動手段により電力供給が開始されたとき、前記警備状態取得手段により前記警備状態を取得し、前記警備モードの変更が可能な場合、前記モード変更指令手段により前記警備装置の前記警備モードが変更された後、前記電源からの電力供給を終了し、前記警備モードの変更が不可能な場合、前記電源からの電力供給を終了する間欠動作制御手段と、を備えると好適である。
【００２４】
上記特徴構成によれば、間欠動作制御手段により、起動手段に対して所定の操作を行われたときから、警備装置の警備モードを変更するにあたり必要な間だけ電源から電力の供給が行われる。よって、何もしていない待機時間における不要な電力消費を抑えることができる。
加えて、無線通信を行うタイミングが限られることから、警備モード変更装置が複数存在する場合や無線通信を行う検知手段が存在する場合であっても混信するおそれが少なく、混信時において発生する信号の再送回数の増加を抑えることができる。具体的には、検知手段から警備装置に定期的に送信される定時通信や、パッシブセンサなどの検知手段により状態変化が起きる毎に送信される信号との混信を抑えることができる。これにより、警備モード変更装置の無線通信による消費電力を下げることができる。
【００２５】
以上のように、警備モード変更装置は、常時通信することを避け、消費電力を抑えながら、検知手段の状態が警戒状態に設定可能な状態であるかを確認することができる。すなわち、消費電力を抑えながらも、利便性に優れた警備システムを実現できる。
なお、上記特徴構成において、警備モード変更装置の可搬性を考慮すると、電源として電池を用いると好適である。この場合、可搬性の向上に加えて、上記特徴構成により電池の消耗が抑えられ動作時間が延びることから、電池の交換サイクルが長くなり利用者の運用コストを下げることができる。
【図面の簡単な説明】
【００２６】
【図１】警備システムの俯瞰図
【図２】コントローラの構成図
【図３】コントローラの動作モードを示す図
【図４】無線リーダの構成図
【図５】無線リーダの外観図
【図６】動作切替手段の状態を示す図
【図７】無線リーダとコントローラのペアリング手順を示すシーケンス図
【図８】警備モード変更時における無線リーダの動作を示すシーケンス図
【図９】無線リーダを用いた警備モードの変更手順を示す図
【図１０】無線リーダを用いた警備モードの変更手順を示す図
【発明を実施するための形態】
【００２７】
以下、本発明の実施形態に係る警備システムＳについて図面を用いて説明する。図１に示すように、警備システムＳは、所定の警備領域Ａ内における各種の異常を検知可能に構成される。より具体的には、警備領域Ａ内に、コントローラ１０に対して有線または無線を用いて電磁的方式により接続された１つ以上の検知手段２０が設置される。検知手段２０は異常を検知すると、コントローラ１０に異常を検知した旨を示す信号を出力するように構成される。コントローラ１０は、検知手段２０からの出力を受けて、警備システムＳの事業者が管理する監視センタ（不図示）に通報を行う、警報を発するなどの警備を実行する。
【００２８】
図示するように、警備システムＳは、コントローラ１０、１つ以上の検知手段２０、無線リーダ３０から構成される。これらの機器は、図示するように、警備領域Ａ内に設置される。ここで、本実施形態においては、警備領域Ａとして一般家庭を用いる場合を示す。また、コントローラ１０は、本願発明に係る「警備装置」に相当し、無線リーダ３０は「警備モード変更装置」に相当する。
【００２９】
コントローラ１０は、例えば、リビングに設置される。コントローラ１０は、図２に示すように、警備領域Ａ内の異常を検知する検知手段２０からの異常を示す出力信号に基づいて警備を行う警戒モードＭ１と、警備を行わない警戒解除モードＭ２とを含む複数の警備モードのうちのいずれかに設定可能に構成される。警戒解除モードＭ２においては、コントローラ１０は、検知手段２０の動作を一旦停止させる、又は検知手段２０からの出力信号を処理しないことで、警備を行わない状態となる。ここで、警戒モードＭ１は本願発明に係る「警戒状態」に、警戒解除モードＭ２は「警戒解除状態」に相当する。
【００３０】
コントローラ１０は、図示を省略するが、電話回線やインターネットなどの通信回線を介して、監視センタと通信可能に構成される。コントローラ１０は、警戒状態において異常を検知すると、警備システムＳの利用者や監視サーバに異常を検知した旨を通報するように構成される。監視サーバ側で異常が確認された場合には、警備領域Ａに警備員を出動させるなどの対応がとられる。
【００３１】
本実施形態において、コントローラ１０は、外部接点出力端子Ｘを備える。外部接点出力端子Ｘは、例えば、コントローラ１０の警備モードが警戒モードＭ１に設定された場合に、連動して、外部接点出力端子Ｘに接続された機器の動作制御を行えるように構成される。
【００３２】
検知手段２０は、警備領域Ａ内の異常を検知するために、警備領域Ａ内において監視が必要と考えられる箇所に１つ以上設置される。コントローラ１０と有線又は無線により接続される。検知手段２０としては、不法侵入を検知するための人感センサ、赤外線センサ、パッシブセンサ、マグネットセンサなどの各種センサが用いられる。具体的には、例えば、マグネットセンサを用いて、警備領域Ａ内の出入り口の開閉や、窓の開閉を検知する。また、検知手段２０としては、警備領域Ａ内の異常を検知するための火災報知機やガス警報器などを用いることもできる。検知手段２０は、コントローラ１０と無線または有線により通信を行う。以下では、検知手段２０からコントローラ１０に出力される情報を「警報情報」と呼ぶ。
【００３３】
無線リーダ３０は、コントローラ１０と無線通信にて信号の送受信を行うように構成される。本実施形態においては、無線リーダ３０は警備領域Ａ内に複数備えられ、例えば、警備領域Ａの出入り口付近や、寝室などに配置される。無線リーダ３０は、利用者が所定の操作を行うことにより、コントローラ１０の警備モードの設定を変更可能に構成される。本実施形態においては、無線リーダ３０は、図４に示すように、ＲＦＩＤタグ４０を読み取り可能に構成され、利用者が、ＲＦＩＤタグ４０をかざすことにより、コントローラ１０の警備モードを変更可能に構成される。ＲＦＩＤタグ４０としては、例えば非接触式のＩＣカードを用いることができる。
【００３４】
〔機器の詳細構成〕
以下では、コントローラ１０及び無線リーダ３０の詳細構成を図を用いて説明する。
１．コントローラ１０
図２に示すように、コントローラ１０は、１つ以上の検知手段２０と有線又は無線により接続され、１つ以上の無線リーダ３０と無線により接続される。コントローラ１０は、制御装置１１、記憶装置１２、通信制御部１４を含む。
【００３５】
制御装置１１は、ＣＰＵなどの演算処理装置及び揮発性メモリなどの記憶装置から構成され、記憶装置１２及び通信制御部１４の動作を制御して、各種処理を行うように構成される。記憶装置１２は、例えば不揮発性メモリなどのように、半恒久的に情報を記憶可能に構成される。通信制御部１４は、コントローラ１０と検知手段２０及び無線リーダ３０との間における通信を制御するものであり、具体的には例えば、近距離無線通信用ＬＳＩなどを用いることができる。より詳しくは、コントローラ１０と検知手段２０との通信方式には、特定小電力無線の規格を用いると好適である。
【００３６】
また、コントローラ１０は、前面にコントローラ１０を操作するための操作ボタン１３が設けられる。具体的には、リーダＩＤの登録作業に用いるための「登録ボタン」や「０」〜「９」の番号が割り当てられたブロックボタン、コントローラ１０の警備モードを外出警戒モードＭ１ａ、在宅警戒モードＭ１ｂ、または警戒解除モードＭ２のいずれかに設定するための警備モード設定ボタンなどを備える。
【００３７】
コントローラ１０には、固有の識別情報（コントローラＩＤ）が設定される。本実施形態においては、コントローラＩＤは、コントローラ１０の製造段階であらかじめ設定される。コントローラＩＤは、記憶装置１２に記憶される。
【００３８】
また、コントローラ１０は、無線リーダ３０それぞれに固有に設定される識別情報（リーダＩＤ）を１つ以上記憶できる領域を持つ。リーダＩＤは、記憶装置１２に記憶される。本実施形態においては、記憶装置１２は、複数のリーダＩＤを記憶可能に構成される。記憶装置１２は、本願発明に係る「警備装置側記憶手段」に相当する。
【００３９】
本実施形態においては、記憶装置１２には、無線リーダ３０の識別情報以外にも、コントローラ１０に有線又は無線で接続される各種機器（有線のリーダや検知手段２０）の識別情報も記憶される。すなわち、コントローラ１０は、無線リーダ３０に加え、有線のリーダを同時に使用することができる。
【００４０】
制御装置１１には、検知手段確認手段１１０、警備モード設定手段１１１、相互認証実行手段１１２、及び識別情報変更手段１１３が含まれる。本実施形態において、これらの手段（１１０〜１１３）は、制御装置１１上で動作するプログラムとして実装される。
【００４１】
検知手段確認手段１１０は、コントローラ１０に接続されている全ての検知手段２０からの出力が正常であるか否かを確認するように構成される。ここで、正常であるか否かの判断は、検知手段２０が正常に動作しているか否か（故障していないか）、及び、コントローラ１０を警戒モードＭ１に移行可能か否かにより決定される。「コントローラ１０を警戒モードＭ１に移行可能か否か」としては、より具体的には、例えば、検知手段２０により検知対象であるドアや窓が閉じられた状態であるかを判定する。検知手段確認手段１１０としては、例えば、コントローラ１０及び検知手段２０間でループバック機能を実装し、ループバックテストが通るか否かを判断するように構成することができる。以下では、検知手段確認手段１１０による確認結果（全ての検知手段２０からの出力が正常であるか否か）を「ループ情報Ｌ」（図８）と呼ぶ。「ループ情報Ｌ」は、本願発明に係る「変更可否情報」に相当し、後述する「警備状態」に含まれる。
【００４２】
本実施形態において、コントローラ１０は、警戒モードＭ１として、外出警戒モードＭ１ａ及び在宅警戒モードＭ１ｂの２種類のモードを備える。また、コントローラ１０から無線リーダ３０に送出される「ループ情報Ｌ」は、各警戒モードＭ１に対応したループ情報により構成される。具体的には、「ループ情報Ｌ」は、外出警戒モードＭ１ａに対応する「外出警戒用ループ情報」と、在宅警戒モードＭ１ｂに対応する「在宅警戒用ループ情報」との２種類から構成される。
【００４３】
外出警戒用ループ情報は、コントローラ１０が外出警戒モードＭ１ａに設定された状態において、全ての検知手段２０の出力が正常であるか否か、すなわち、例えば、検知手段２０の検知対象であるドアや窓が全て閉じられた状態であるかを示す。
【００４４】
在宅警戒用ループ情報は、在宅警戒モードＭ１ｂにおいて有効とされた検知手段２０からの出力が、全て正常であるか否かを示す。すなわち、在宅警戒モードＭ１ｂにおいて警戒のために用いられる検知手段２０の検知対象であるドアや窓が閉じられた状態であるかを示す。
【００４５】
警備モード設定手段１１１は、コントローラ１０の警備モードを設定する。本実施形態においては、警戒モードＭ１として、外出警戒モードＭ１ａ、在宅警戒モードＭ１ｂの２種類を選択可能に構成される。
【００４６】
外出警戒モードＭ１ａは、利用者が外出時、警備を必要とする場合に用いる。このモードでは、コントローラ１０は、いずれかの検知手段２０から異常を検知した旨の出力信号を受け取ると、監視センタへの通報や、警報の発報を行う。
【００４７】
在宅警戒モードＭ１ｂは、利用者が在宅中、警備を必要とする場合に用いる。このモードは、例えば、利用者の就寝時に用いられる。在宅警戒モードＭ１ｂにおいては、警備領域Ａ内のどの領域の検知手段２０からの出力を有効にするかを、利用者が選択することができる。具体的には、例えば、警備領域Ａにおける建物内の検知手段２０を無効とし、外部から警備領域Ａ内への侵入経路に係る検知手段２０を有効とするといった設定ができる。
【００４８】
警戒解除モードＭ２は、主に利用者が在宅中、警備を必要としない場合に用いる。このモードでは、コントローラ１０は、検知手段２０から異常を検知した旨の出力信号を受け取っても、監視センタへの通報や、警報の発報を行わない。すなわち、検知手段２０からの出力によって、警備領域Ａ内で異常が発生したとは判断しない。このモードでは、検知手段２０からの出力は、侵入者によるものではなく、利用者自身の行動に起因したものとみなしている。
【００４９】
本実施形態において、コントローラ１０及び無線リーダ３０は、無線通信開始時に、互いに通信相手の識別情報を記憶しているかを確認する相互認証を行う。相互認証実行手段１１２は、「相互認証」においてコントローラ１０で必要な処理を担う。具体的には、無線リーダ３０から送信された無線リーダ３０のリーダＩＤを受信し、記憶装置１２に記憶された無線リーダ３０の接続先ＩＤとしてのリーダＩＤと一致するかを確認する。一致した場合には、無線リーダ３０に、記憶装置１２に記憶されたコントローラ１０のコントローラＩＤを送信する。一致しない場合には、相互認証に失敗したとみなして、無線リーダ３０との通信を終了する。具体的には、例えば、通信を強制終了する、無線リーダ３０に相互認証に失敗した旨を知らせるなどの処理を行う。
【００５０】
識別情報変更手段１１３は、記憶装置１２に記憶される接続先ＩＤとしてのリーダＩＤを変更する。すなわち、コントローラ１０は、別途ＰＣなどの専用の登録器を用意することなく、識別情報変更手段１１３により記憶装置１２に記憶されるリーダＩＤを、書き換え可能に構成される。識別情報変更手段１１３は、具体的には、記憶装置１２に新たにリーダＩＤを登録することや、記憶装置１２に記憶されたリーダＩＤを削除することができる。
【００５１】
識別情報変更手段１１３は、コントローラ１０に設けられたボタンを利用者が操作することで動作するように構成される。ここで、リーダＩＤの変更作業は、通常、警備システムＳの事業主側で行う作業のため、識別情報変更手段１１３を動作させるための操作としては、通常操作時には利用者がとり得ない特別な操作を割り当てると良い。具体的には、例えば、コントローラ１０に設けられた登録ボタンに加え、通常同時に押すことのない複数のボタンを、指定秒数以上長押しするなどの動作によって、識別情報変更手段１１３を動作させるように構成することができる。
【００５２】
このような構成とすることにより、コントローラ１０の記憶装置１２に記憶されたリーダＩＤの書き換えに当たって、別途、専用の登録器を用意することなく、コントローラ１０のみで、無線リーダ３０のリーダＩＤの登録や抹消が行える。これにより、例えば、コントローラ１０の設置時に、作業員は簡便に無線リーダ３０の登録作業を行うことができる。よって、警備システムＳの構築に係るコストを下げることができる。
【００５３】
１−１．コントローラ１０の動作モード
また、本実施形態におけるコントローラ１０は、識別情報変更手段１１３を用いることなく記憶装置１２に記憶されたリーダＩＤの変更を可能に構成されている。より詳しくは、コントローラ１０は、図３に示すように、電源投入後、起動時の処理を行うと、「運用モード」、「ＰＣ登録モード」または「ワンタッチ登録モード」のいずれかに遷移する。ここで、「運用モード」は、検知手段２０と通信を行い警備領域Ａの警備を実行可能なモードであり、「ＰＣ登録モード」及び「ワンタッチ登録モード」は、コントローラ１０の記憶装置１２に記憶されるリーダＩＤを変更するためのモードである。
【００５４】
より詳しくは、コントローラ１０は、「運用モード」に遷移した場合、警備モード設定手段１１１により、警戒モードＭ１または警戒解除モードＭ２に設定される。なお、警戒モードＭ１としては、本実施形態においては、上述のように外出警戒モードＭ１ａまたは在宅警戒モードＭ１ｂが用いられる。
【００５５】
「ワンタッチ登録モード」では、識別情報変更手段１１３を動作させてリーダＩＤを変更できる。また、「ＰＣ登録モード」では、ＰＣなどの専用の登録器を用いてリーダＩＤを変更することができる。
【００５６】
コントローラ１０は、電源を投入すると、起動時の動作チェック処理などを行った後、警戒モードＭ１または警戒解除モードＭ２で動作する「運用モード」に移行する。ここで、コントローラ１０は、警戒解除モードＭ２のときに、上述の特別な操作を行うことで、「ワンタッチ登録モード」へと移行する。一方、警戒解除モードＭ２において、例えば、コントローラ１０に設けられた登録ボタンを指定秒数以上長押しするなどの、登録操作を行うことで、「ＰＣ登録モード」に移行する。なお、「ＰＣ登録モード」へは、コントローラ１０の起動時に所定の条件を満たした上で、登録操作を行うことでも移行することができる。
【００５７】
このように、複数のモードを備えることにより、例えば、必要なリーダＩＤの変更作業が少ない場合には、ワンタッチ登録モードを、リーダＩＤの変更作業を複数行う必要がある場合には、ＰＣ登録モードを用いるなどのように作業内容に合わせて効率的な方法を選択することが可能となる。
【００５８】
なお、ＰＣ登録モードでは、コントローラ１０交換時に、撤去するコントローラ１０のコントローラＩＤを、新たに取り付けるコントローラ１０のコントローラＩＤで上書きすると良い。上書きすることで、新たに取り付けるコントローラ１０と、既設の無線リーダ３０とを再度ペアリングし、新たに取り付けるコントローラ１０にリーダＩＤを再登録する作業を不要とすることができる。
【００５９】
ワンタッチ登録モードについて詳しく説明する。ワンタッチ登録モードでは、コントローラ１０のボタン操作を行うことで、識別情報変更手段１１３を動作させて、リーダＩＤの登録や削除を行うことができる。
【００６０】
ワンタッチ登録モードは、コントローラ１０が、運用モードの状態で、かつ、警戒解除モードＭ２の場合に、登録ボタンと所定のキーを同時に所定時間以上長押しすることで開始する。コントローラ１０は、ワンタッチ登録モードに移行すると、例えば、コントローラ１０に設けられたランプを点滅させるなどの方法で、移行した旨が目視できるように構成される。
【００６１】
ワンタッチ登録モードでは、登録ボタンを再度押すことにより、運用モードへ移行する。また、ワンタッチ登録モードに移行後、所定時間操作がない場合に、運用モードに移行するように構成しても構わない。ここで、所定時間としては、例えば、１０分に設定することができる。
【００６２】
１−２．コントローラ１０への検知手段２０の登録方法
ワンタッチ登録モードにおいては、コントローラ１０は、リーダＩＤの変更の他、検知手段２０の登録を行うことができる。ブロックボタンを所定時間長押しすることで、長押しした番号の検知手段登録パターンを選択可能に構成される。検知手段登録パターンとしては、無線通信によりコントローラ１０と接続される無線式の検知手段２０の登録パターンである「無線検知手段登録パターン」と、有線式の検知手段２０の登録パターンである「有線検知手段登録パターン」の２種類を備える。
【００６３】
ここで検知手段登録パターンは、０〜９の番号に紐付けた状態で、検知手段２０の種別、設置場所、通信方式（一方向通信か両方向通信か）などの組み合わせからなる検知手段２０の設定が登録される。すなわち、検知手段登録パターンは、０〜９の番号に対応する１０種類の検知手段２０の設定を１まとめとしたものである。検知手段登録パターンに含まれる検知手段２０の設定を、０〜９の番号に対応する。
【００６４】
本実施形態において「無線検知手段登録パターン」としては、２つのパターンを設定可能に構成される。具体的には、例えば、無線検知手段登録パターンとして、１または２のブロックボタンを長押しした場合に選択される検知手段登録パターンを備える。
【００６５】
検知手段登録パターンの１または２が選択された状態で、選択された検知手段登録パターンに含まれる設定のうち、用いる検知手段２０の設定に対応する番号のブロックボタンが押されると、該当ブロックボタンが点灯し、無線式の検知手段２０から信号を待つ受信待ち状態となる。受信待ち状態で、検知手段２０からの登録を要求する信号を受信すると、ブロックボタンを押して選択した検知手段２０の設定で、受信した検知手段２０をコントローラ１０に登録する。検知手段２０の登録時には、当該検知手段２０には、機器番号が割り振られる。本実施形態においては、機器番号として、検知手段２０が割り振られていない最も小さな番号が設定される。
【００６６】
受信待ち状態で、検知手段２０を登録できない場合には、検知手段２０からの受信待ち状態に戻る。検知手段２０を登録できない場合としては、例えば、既に登録済みの検知手段２０からの登録を要求する信号を受信した場合や、新たに割り振る機器番号が存在しない場合などが該当する。
【００６７】
２．無線リーダ３０
無線リーダ３０の構成を図４に示す。無線リーダ３０は、コントローラ１０と無線で通信するように構成されるとともに、利用者がＲＦＩＤタグ４０を無線リーダ３０にかざした場合に、コントローラ１０の警備モードを変更できるように構成される。本実施形態においては、無線リーダ３０は、ＲＦＩＤタグ４０のかざし方によって、外出警戒モードＭ１ａ、在宅警戒モードＭ１ｂ、または警戒解除モードＭ２のいずれかに設定変更することができる。無線リーダ３０にＲＦＩＤタグ４０がかざされた際に、コントローラ１０の警備モードの変更を行える状態を、以下では「待機状態」と呼ぶ。
【００６８】
ここで、ＲＦＩＤタグ４０は、本願発明に係る「情報記憶媒体」に相当し、無線リーダ３０の前面が「所定の領域」に相当する。利用者の用いるＲＦＩＤタグ４０としては、ＲＦＩＤタグ４０が内蔵された非接触型ＩＣカードや、携帯電話、スマートフォンなどを用いることができる。本実施形態においては、ＲＦＩＤタグ４０としては、Ｆｅｌｉｃａ（商標登録）やＭＩＦＡＲＥ（商標登録）などを用いると良い。
【００６９】
所定のＲＦＩＤタグ４０が、無線リーダ３０を介して、コントローラ１０の警備モードを変更できるか否かは、コントローラ１０に当該ＲＦＩＤタグ４０の固有の識別番号が記憶されているか否かによって決定される。すなわち、コントローラ１０の記憶装置１２には、警備モードの設定変更に利用可能なＲＦＩＤタグ４０の識別番号が記憶される。本実施形態において、コントローラ１０は、記憶装置１２に記憶するＲＦＩＤタグ４０の識別番号を利用者により設定可能に構成される。
【００７０】
無線リーダ３０は、制御装置３１、記憶装置３２、通信制御部３４を備える。制御装置３１は、ＣＰＵなどの演算処理装置及び揮発性メモリなどの記憶装置から構成され、記憶装置３２及び通信制御部３４の動作を制御して、各種処理を行うように構成される。記憶装置３２は、例えば不揮発性メモリなどのように、半恒久的に情報を記憶可能に構成される。通信制御部３４は、無線リーダ３０とコントローラ１０との間における通信を制御するものであり、具体的には例えば、近距離無線通信用ＬＳＩなどを用いることができる。より詳しくは、コントローラ１０と無線リーダ３０との通信方式は、コントローラ１０と検知手段２０との通信方式と同一とし、特定小電力無線の規格を用いると好適である。
【００７１】
本実施形態においては、無線リーダ３０は、動作に必要な電源３６として、装置内部に内蔵された電池を用いる。なお、カードリーダ部３７及び通信制御部３４には、間欠動作制御手段３１０の制御により電源３６から間欠的に電力供給が行われる。無線リーダ３０に別途電源を接続する必要がなく、無線リーダ３０単体のみで動作が可能なため、可搬性に優れる。このため、例えば、無線リーダ３０を寝室などに持って行き、就寝時に在宅警戒モードＭ１ｂを設定するなどの操作が可能となる。また、手元に無線リーダ３０を置いておくことで、防災警報の誤発報などがあった場合に、コントローラ１０の場所まで移動することなく、その場で防災警報の解除が行える。
【００７２】
無線リーダ３０の外観を図５に示す。図示するように、無線リーダ３０は、装置の前面に、起動ボタン３３、確認信号出力手段３５、カードリーダ部３７、及び動作切替手段３８を備える。起動ボタン３３は、本願発明に係る「起動手段」に相当し、カードリーダ部３７は「モード変更指令手段」に相当する。
【００７３】
起動ボタン３３は、利用者により押下されると、電源３６から無線リーダ３０の各部に電力が供給される。本実施形態においては、確認信号出力手段３５として、無線リーダ３０の前面に備えられたランプ、及び無線リーダ３０内部に設けられたブザーを用いる。カードリーダ部３７は、所定の距離内にＲＦＩＤタグ４０が接近した際に、当該ＲＦＩＤタグ４０に設定された固有の識別情報を読みとるように構成される。
【００７４】
動作切替手段３８は、利用者がＲＦＩＤタグ４０をかざしたときに設定されるコントローラ１０の動作モードを切り替える。本実施形態においては、動作切替手段３８としてＤＩＰスイッチを備える。動作切替手段３８により、起動ボタン３３を押した直後にＲＦＩＤタグ４０をかざした際に設定される動作モードを、外出警戒モードＭ１ａとするか、在宅警戒モードＭ１ｂとするかを切り替えることができる。図６に示すように、動作切替手段３８はＯＮとＯＦＦの２つの状態を取るように構成される。
【００７５】
本実施形態において無線リーダ３０は、コントローラ１０の動作モードの設定方法として、起動ボタン３３を押した直後にＲＦＩＤタグ４０をかざす場合（第１操作手順）と、起動ボタン３３を押して離した後、再度起動ボタン３３を押し続けながらＲＦＩＤタグ４０をかざす場合（第２操作手順）の２通りを備える。動作切替手段３８がＯＮの場合には、第１操作手順で在宅警戒モードＭ１ｂに、第２操作手順で外出警戒モードＭ１ａに設定される。また、ＯＦＦの場合には、第１操作手順で外出警戒モードＭ１ａに、第２操作手順で在宅警戒モードＭ１ｂに設定されるよう構成される。
【００７６】
図５に示すように、無線リーダ３０には、各無線リーダ３０に固有の識別情報（リーダＩＤ）が設定される。本実施形態においては、リーダＩＤは、無線リーダ３０の製造段階であらかじめ設定される。リーダＩＤは、記憶装置３２に記憶される。
【００７７】
また、無線リーダ３０の記憶装置３２は、接続先ＩＤとして、コントローラ１０の識別情報（コントローラＩＤ）を１つのみ記憶する。記憶装置３２には、無線リーダ３０との通信を許可するコントローラ１０のコントローラＩＤが記憶される。記憶装置３２は、本願発明に係る「変更装置側記憶手段」に相当する。
【００７８】
制御装置３１には、間欠動作制御手段３１０、相互認証実行手段３１１、及び警備状態取得手段３１２が含まれる。本実施形態において、これらの手段（３１０〜３１２）は、制御装置１１上で動作するプログラムとして実装される。
【００７９】
間欠動作制御手段３１０は、起動ボタン３３に所定の操作がなされた後、一定時間のみ電源３６から必要箇所への電力供給を行い、無線リーダ３０の消費電力を抑える。より詳しくは、間欠動作制御手段３１０は、コントローラ１０の警備モードを変更する際に用いられる箇所（カードリーダ部３７及び通信制御部３４）への電力供給を制御するように構成される。
【００８０】
具体的には、間欠動作制御手段３１０は、起動ボタン３３が利用者により押下されると、電源３６からカードリーダ部３７及び通信制御部３４への電力供給を開始し、コントローラ１０の警備モードの変更が成功または失敗した時点で、電力供給を終了する。間欠動作制御手段３１０の制御についてより詳しくは、「５−１．無線リーダの動作」において後述する。このような制御を行うことにより、無線リーダ３０は消費電力を抑えながらコントローラ１０との通信が可能となる。また、一定時間経過後には、通信制御部３４への電力供給が絶たれるので、消費電力を抑えることができる。これにより、本実施形態における無線リーダ３０は、電源３６に電池を用いながら、長期間にわたって利用できる。
【００８１】
相互認証実行手段３１１は、コントローラ１０と無線リーダ３０との無線通信開始時に行う相互認証において、無線リーダ３０で必要な処理を担う。具体的には、コントローラ１０と無線リーダ３０との間での通信開始時に、コントローラ１０に記憶装置３２に記憶されたリーダＩＤを送信する。また、コントローラ１０から送信されたコントローラＩＤを受信し、受信したコントローラＩＤが、記憶装置３２に記憶された接続先ＩＤと一致するかを確認する。
【００８２】
一致した場合には、相互認証に成功したとして、コントローラ１０と無線リーダ３０との双方向通信が可能となる。相互認証が成功した後、無線リーダ３０からコントローラ１０の警備モードを変更するための通信が行われる。
【００８３】
一致しない場合には、相互認証は失敗したとして、コントローラ１０との通信を終了する。具体的には、例えば、通信を強制終了し、無線リーダ３０への電源供給をする、コントローラ１０に無線リーダ３０は相互認証に失敗した旨を知らせるなどの処理を行う。なお、コントローラ１０においても相互認証に失敗した旨を知らせても良い。
【００８４】
警備状態取得手段３１２は、起動ボタン３３が押下され、無線リーダ３０各部への電力供給が開始され起動した際に、その時点においてコントローラ１０に設定されている警備状態を取得する。本実施形態においては、警備状態取得手段３１２は、警備状態として、コントローラ１０の警備モードに加え、コントローラ１０の検知手段確認手段１１０によるループ情報Ｌ、火災・ガス・非常・侵入などの検知手段２０からの警報情報を取得する。
【００８５】
無線リーダ３０は、取得した警備状態に含まれるコントローラ１０の警備モードを、確認信号出力手段３５により、利用者が視認可能な形態で出力する。本実施形態においては、情報の受信後、確認信号出力手段３５としてのランプが、色や点滅状態により警備モードを示すように構成される。このような構成により、利用者は、無線リーダ３０にＲＦＩＤタグ４０をかざす前に、現在の警備状態を把握することができる。すなわち、本実施形態においては、無線リーダ３０は、利用者の操作によりコントローラ１０の警備モードを変更するにあたり、起動ボタン３３が押下された際に、警備状態取得手段３１２により、コントローラ１０に設定されている警備モードを取得するように構成される。
【００８６】
〔警備システムＳの動作〕
３．コントローラと無線リーダのペアリング
以下では、コントローラ１０の記憶装置１２に、上記「ワンタッチ登録モード」や「ＰＣ登録モード」により無線リーダ３０のリーダＩＤを登録するとともに、無線リーダ３０の記憶装置３２に、コントローラ１０のコントローラＩＤを登録（ペアリング）する際の手順を説明する。無線リーダ３０が待機状態時に、無線リーダ３０に設けられた登録ボタンを所定時間押下すると、確認信号出力手段３５により無線リーダ３０がコントローラ１０への登録処理を開始する旨が表示される。本実施形態においては、確認信号出力手段３５として設けられたランプが、赤色に点灯する。ここで、登録ボタンは、例えば、無線リーダ３０の電子回路基板上に直接設けられるなど、通常、利用者が操作できない箇所に設けられる。
【００８７】
この状態から、登録ボタンを離して、所定時間経過すると、外部出力手段１５の表示が消え、無線リーダ３０からコントローラ１０へ、無線リーダ３０のリーダＩＤとともに登録を要求する信号が送信される。その後、コントローラ１０から、コントローラＩＤを含む返答を受信する。返答を受信すると、無線リーダ３０は、記憶装置３２にコントローラＩＤを登録するとともに、受信結果を確認信号出力手段３５により表示する。
【００８８】
具体的には、コントローラ１０からの返答として登録が成功した旨を受信した場合、確認信号出力手段３５により登録完了表示を行った後、待機状態に移行する。本実施形態においては、登録完了表示として、確認信号出力手段３５としてのランプを２秒間赤色に点灯させ、ブザーにて「ピー」という音を出力する。一方、返答を受信できなかった場合には、登録失敗表示を行い、待機状態に移行する。
【００８９】
図７に、コントローラ１０に無線リーダ３０を登録するシーケンス図の一例を示す。登録ボタンが２秒間押された後、ランプが点灯し、登録ボタンを離してから１秒後に、ランプが消灯するとともに、コントローラ１０と無線リーダ３０との間で登録処理が実行される。
【００９０】
具体的には、まず、ランプが消灯すると、無線リーダ３０からコントローラ１０に、当該の無線リーダ３０のリーダＩＤと登録を要求する旨を含む信号が送信される（ＳＴＥＰ１）。コントローラ１０は、当該信号を受信すると、リーダＩＤを記憶装置１２に接続先ＩＤとして記憶する（ＳＴＥＰ２）。その後、コントローラ１０から無線リーダ３０に登録の成否、及びコントローラＩＤを示す返答が送信される（ＳＴＥＰ３）。無線リーダ３０は、コントローラ１０からの返答を受信すると、返答に含まれるコントローラＩＤを記憶装置３２に登録する（ＳＴＥＰ４）。登録処理後、無線リーダ３０は、受信結果を表示するため、確認信号出力手段３５としてのランプを２秒間点灯させるとともに、ブザーを所定時間鳴動させる。
【００９１】
ここで、ＳＴＥＰ４において、記憶装置３２に既に別のコントローラＩＤが記憶されている場合には、上書きされる。
【００９２】
なお、コントローラ１０への無線リーダ３０の登録作業は、作業者が、無線リーダ３０をコントローラ１０の近くに運んだ状態で行えば、作業者は１人で登録作業ができるため好適である。
【００９３】
４．相互認証の仕組み
上述のように、コントローラ１０に無線リーダ３０が登録されると、コントローラ１０と無線リーダ３０との間で通信が可能となる。ここで、本実施形態においては、無線通信開始時に、まず互いに通信相手の識別情報を記憶しているかを確認する相互認証を実行する。
【００９４】
具体的には、無線リーダ３０に、例えば起動ボタン３３が押された後、ＲＦＩＤタグ４０がかざされた場合などにおいてコントローラ１０との通信を開始した時に、まず相互認証実行手段３１１により、コントローラ１０に対して、当該無線リーダ３０のリーダＩＤを送信する。コントローラ１０はリーダＩＤを受信すると、相互認証実行手段１１２により、当該リーダＩＤが記憶装置１２の接続先ＩＤとして登録されているかを確認する。
【００９５】
登録が確認された場合は、相互認証実行手段１１２により、記憶装置１２に記憶されているコントローラＩＤが無線リーダ３０に送信される。なお、登録が確認されなかった場合、以降の通信は強制終了し、無線リーダ３０への電源供給を停止する。
【００９６】
無線リーダ３０は、コントローラ１０からコントローラＩＤを受信すると、相互認証実行手段３１１により、受信したコントローラＩＤが、記憶装置３２の接続先ＩＤと一致するかを確認する。
【００９７】
一致した場合には、相互認証に成功したとし、無線リーダ３０からコントローラ１０への以降の通信が可能となる。具体的には、無線リーダ３０からコントローラ１０の警備モードの変更が可能となる。一方、一致しなかった場合には、相互認証は失敗したとし、以降の通信は行われない。すなわち、例えば、無線リーダ３０にＲＦＩＤタグ４０がかざされても、相互認証に失敗した場合には、コントローラ１０への通信は以降の通信は強制終了し、無線リーダ３０への電源供給は停止し、コントローラ１０の警備モードも変更されない。
【００９８】
５．無線リーダの動作
以下では、コントローラ１０と無線リーダ３０がペアリングされた状態で、無線リーダ３０にＲＦＩＤタグ４０がかざされた場合の動作を説明する。なお、以下では、相互認証は成功したものとして説明を省略する。
【００９９】
本実施形態において、無線リーダ３０は、第１操作手順と、第２操作手順との２つの手順でコントローラ１０の警備モードを設定可能に構成される。具体的には、コントローラ１０が警戒解除モードＭ２に設定された状態において、例えば、第１操作手順が行われると、外出警戒モードＭ１ａに設定され、第２操作手順が行われると、在宅警戒モードＭ１ｂに設定される。なお、本実施形態においては、動作切替手段３８により、第１操作手順及び第２操作手順で設定される警戒モードＭ１を入れ替えることが可能である。
【０１００】
第１操作手順では、起動ボタン３３が押された後に、ＲＦＩＤタグ４０がかざされることで、コントローラ１０の警備モードが設定される。第２操作手順では、起動ボタン３３が押された後、一旦起動ボタン３３が離され、再度起動ボタン３３が押されながら、ＲＦＩＤタグ４０がかざされることでコントローラ１０の警備モードが設定される。
【０１０１】
本実施形態においては、コントローラ１０が警戒解除モードＭ２に設定されている場合に、第１操作手順が行われると外出警戒モードＭ１ａに、第２操作手順が行われると在宅警戒モードＭ１ｂに設定される。すなわち、動作切替手段３８がＯＦＦに設定された場合を示す。また、コントローラ１０が警戒モードＭ１に設定されている場合に、第１操作手順が行われると警戒解除モードＭ２に設定される。以下では、コントローラ１０の警備モードの設定の手順についてそれぞれ説明する。
【０１０２】
５−１．無線リーダの動作
コントローラ１０の警備モードの設定の手順を説明するにあたり、警備モードを設定する際の無線リーダ３０内での内部処理について説明する。合わせて、間欠動作制御手段３１０によるカードリーダ部３７及び動作切替手段３８への電力供給の制御について詳しく説明する。間欠動作制御手段３１０は、カードリーダ部３７及び通信制御部３４に対して、必要なタイミングでのみ電力供給を行うように構成される。図８に、無線リーダ３０における内部処理の一例を示す。
【０１０３】
図８は、コントローラ１０が警戒解除モードＭ２でかつ、検知手段確認手段１１０によるループ情報Ｌが正常な状態において、第２操作手順によりコントローラ１０の警備モードを変更する場合を示す。すなわち、無線リーダ３０の起動ボタン３３が一度押され離された後、無線リーダ３０の起動ボタン３３が再度押されながら、ＲＦＩＤタグ４０がかざされ、コントローラ１０の警備モードが警戒モードＭ１に設定される場合を示す。
【０１０４】
図８の操作で、コントローラ１０が外出警戒モードＭ１ａと在宅警戒モードＭ１ｂのいずれに設定されるかは、図５に示す動作切替手段３８により切り替えられる。コントローラ１０を外出警戒モードＭ１ａに設定する場合には、ループ情報Ｌとして外出警戒用ループ情報を、在宅警戒モードＭ１ｂに設定する場合には、在宅警戒用ループ情報を用いる。
【０１０５】
無線リーダ３０は、起動ボタン３３が押されると、まず、確認信号出力手段３５としてのブザーが鳴動する。続いて、間欠動作制御手段３１０により通信制御部３４への電力供給が行われるとともに、通信制御部３４を介してコントローラ１０に対して「警備状態」を要求し、取得する。より具体的には、警備状態取得手段３１２により「警備状態」として、コントローラ１０の警備モードに加え、コントローラ１０の検知手段確認手段１１０によるループ情報Ｌ（外出警戒用ループ情報、及び、在宅警戒用ループ情報）、火災・ガス・非常・侵入などの検知手段２０からの警報情報を要求し、取得する。
【０１０６】
無線リーダ３０は、「警備状態」を受信すると、通信制御部３４への電力供給を遮断する。すなわち、間欠動作制御手段３１０は、起動ボタン３３が押下されてから警備状態取得手段３１２により警備状態が取得されるまでの間、通信制御部３４に電力供給を行う。
【０１０７】
次に、間欠動作制御手段３１０は、電源３６からカードリーダ部３７への電力供給を行う。また、同時に、確認信号出力手段３５としてのランプ及びブザーで、受信した警備状態を出力する。
【０１０８】
確認信号出力手段３５により警備状態を表示した状態で、無線リーダ３０のカードリーダ部３７にＲＦＩＤタグ４０がかざされると、確認信号出力手段３５としてのブザーの鳴動によりＲＦＩＤタグ４０を読みとった旨が出力される。出力後、カードリーダ部３７の電力供給が遮断される。すなわち、間欠動作制御手段３１０は、カードリーダ部３７が操作される間、通信制御部３４への電力供給は行わず、カードリーダ部３７への電力供給のみ行う。
【０１０９】
続いて、間欠動作制御手段３１０は、電源３６から通信制御部３４への電力供給を再開する。電力供給の再開に合わせて、無線リーダ３０は、通信制御部３４を介してコントローラ１０に設定する警戒モードＭ１の情報（外出警戒モードＭ１ａか在宅警戒モードＭ１ｂ）を含んだ指令Ｃを送信する。本実施形態においては、かざされたＲＦＩＤタグ４０の識別情報も合わせて送信される。
【０１１０】
図中では省略しているが、コントローラ１０は、無線リーダ３０から警戒モードＭ１の情報を受信すると、受信した警戒モードＭ１に設定する。その後、「警戒状態」を無線リーダ３０に送信する。ここで、「警戒状態」としては、コントローラ１０の警備モードに加え、コントローラ１０の検知手段確認手段１１０によるループ情報Ｌ（外出警戒用ループ情報、及び、在宅警戒用ループ情報）、火災・ガス・非常・侵入などの検知手段２０からの警報情報、さらにかざされたＲＦＩＤタグ４０が有効であるか否かが、含まれる。
【０１１１】
無線リーダ３０がコントローラ１０から警戒状態を受信すると、間欠動作制御手段３１０は電源３６から通信制御部３４への電力供給を遮断する。すなわち、間欠動作制御手段３１０は、指令Ｃを送信してから警戒状態を受信するまでの間、電源３６から通信制御部３４に電力供給を行う。
【０１１２】
無線リーダ３０は、コントローラ１０の警備モードが切り替わったと判断できた場合には、確認信号出力手段３５により警備状態確認表示を行う。警備状態確認表示としては、具体的には、ブザーを鳴動させるとともに、ランプを警備モードに合わせて異なる色に所定時間点灯させる。ここでの点灯時間としては、本実施形態においては４秒に設定される。
【０１１３】
なお、かざしたＲＦＩＤタグ４０の識別情報がコントローラ１０に登録されておらず、ＲＦＩＤタグ４０が無効と判断された場合や、無線リーダ３０が送信した指令Ｃに含まれる警備モードとコントローラ１０から受信した警戒状態に含まれる警備モードとが一致しなかった場合には、警備状態確認表示は行われない。この場合、無効である旨が確認信号出力手段３５により出力される。具体的には、例えば、ブザーが「ピーピー」と鳴動するなどの出力が行われる。
【０１１４】
５−２．第１操作手順による警備モードの設定
第１操作手順によりＲＦＩＤタグ４０がかざされる場合の一連の動作を説明する。この場合、まず、起動ボタン３３が押されると、無線リーダ３０はコントローラ１０から現在の警備モード及びループ情報Ｌ（外出警戒用ループ情報、及び、在宅警戒用ループ情報）を取得する。
【０１１５】
無線リーダ３０は、取得した警備モードが警戒解除モードＭ２で、かつ、第１操作手順により設定される警戒モードＭ１に対応したループ情報Ｌが正常であるという条件が満たされるかを確認する。条件が満たされた場合、ＲＦＩＤタグ４０をかざすことでコントローラ１０を警戒モードＭ１に設定することができ、条件が満たされなかった場合には、後述するエラー時の処理が行われる。以下では、本実施形態における第１操作手順による警備モードの設定をより具体的に説明する。
【０１１６】
５−２−１．動作切替手段３８がＯＦＦに設定されている場合
無線リーダ３０に、第１操作手順によりＲＦＩＤタグ４０がかざされた場合に、コントローラ１０は外出警戒モードＭ１ａに設定される。具体的には、図９（ａ）に示すように、まず、起動ボタン３３が押されると、次に無線リーダ３０の確認信号出力手段３５としてのランプが、警戒解除モードＭ２で、かつ、外出警戒用ループ情報が成立した旨を示す緑色に点灯する。
【０１１７】
この状態でＲＦＩＤタグ４０がかざされると、無線リーダ３０からコントローラ１０に、外出警戒モードＭ１ａに設定する信号（指令Ｃ）が送信される。設定が成功すると、外出警戒モードＭ１ａに設定された旨がコントローラ１０から無線リーダ３０に送信され、確認信号出力手段３５としてのランプが外出警戒モードＭ１ａを示す赤色に４秒間点灯する。その後、ランプは消灯する。
【０１１８】
５−２−２．動作切替手段３８がＯＮに設定されている場合
動作切替手段３８がＯＮに設定されている場合には、第１操作手順によりＲＦＩＤタグ４０がかざされた場合に、コントローラ１０は、在宅警戒モードＭ１ｂに設定される。この場合、起動ボタン３３が押されると、次に無線リーダ３０の確認信号出力手段３５としてのランプが、警戒解除モードＭ２で、かつ、在宅警戒用ループ情報が成立した旨を示す緑色に点灯する。
【０１１９】
この状態でＲＦＩＤタグ４０がかざされると、無線リーダ３０からコントローラ１０に、在宅警戒モードＭ１ｂに設定する信号（指令Ｃ）が送信される。設定が成功すると、在宅警戒モードＭ１ｂに設定された旨がコントローラ１０から無線リーダ３０に送信され、確認信号出力手段３５としてのランプが在宅警戒モードＭ１ｂを示す橙色に４秒間点灯する。その後、ランプは消灯する。
【０１２０】
５−３．第２操作手順による警備モードの設定
第２操作手順によりＲＦＩＤタグ４０がかざされる場合の一連の動作を説明する。第１操作手順の場合と同様、起動ボタン３３が押されると、無線リーダ３０はコントローラ１０から現在の警備モード及びループ情報Ｌ（外出警戒用ループ情報、及び、在宅警戒用ループ情報）を取得する。次に、取得した警備モードが警戒解除モードＭ２で、かつ、第２操作手順により設定される警戒モードＭ１に対応したループ情報Ｌが正常であるという条件が満たされるかを確認する。
【０１２１】
上述の条件が満たされている場合、ＲＦＩＤタグ４０をかざすことでコントローラ１０を警戒モードＭ１に設定することができ、条件が満たされなかった場合には、後述するエラー時の処理が行われる。以下では、本実施形態における第２操作手順による警備モードの設定をより具体的に説明する。
【０１２２】
５−３−１．動作切替手段３８がＯＦＦに設定されている場合
無線リーダ３０に、第２操作手順によりＲＦＩＤタグ４０がかざされた場合に、コントローラ１０は在宅警戒モードＭ１ｂに設定される。具体的には、図９（ｂ）に示すように、起動ボタン３３が押されると、次に無線リーダ３０の確認信号出力手段３５としてのランプが、警戒解除モードＭ２で、かつ、外出警戒用ループ情報が成立した旨を示す緑色に点灯する。次に、起動ボタン３３が一旦離され、再度起動ボタン３３が押されるとともに、押された状態が維持される。ここで、再度起動ボタン３３が押された時に、在宅警戒用ループ情報が成立している場合には、確認信号出力手段３５としてのランプは緑色に点灯し続ける。なお、再度起動ボタン３３が押された時に、在宅警戒用ループ情報が成立していない場合には、例えば、ランプが橙色にエラー表示がされる。
【０１２３】
この状態でＲＦＩＤタグ４０がかざされると、無線リーダ３０からコントローラ１０に、在宅警戒モードＭ１ｂに設定する信号（指令Ｃ）が送信される。設定が成功すると、在宅警戒モードＭ１ｂに設定された旨がコントローラ１０から無線リーダ３０に送信され、確認信号出力手段３５としてのランプが在宅警戒モードＭ１ｂを示す橙色に４秒間点灯する。その後、ランプは消灯する。
【０１２４】
５−３−２．動作切替手段３８がＯＮに設定されている場合
この場合、無線リーダ３０にＲＦＩＤタグ４０がかざされた場合に、コントローラ１０は外出警戒モードＭ１ａに設定される。ＯＦＦの場合と同様の箇所については説明を省略する。
【０１２５】
ＯＦＦの場合と異なり、起動ボタン３３が一旦離され、再度起動ボタン３３が押され、押された状態が維持されたとき、外出警戒用ループ情報が成立している場合には、確認信号出力手段３５としてのランプは緑色に点灯し続ける。
【０１２６】
また、ＲＦＩＤタグ４０がかざされると、無線リーダ３０からコントローラ１０に、外出警戒モードＭ１ａに設定する信号（指令Ｃ）が送信される。設定が成功すると、外出警戒モードＭ１ａに設定された旨がコントローラ１０から無線リーダ３０に送信され、確認信号出力手段３５としてのランプが外出警戒モードＭ１ａを示す赤色に４秒間点灯する。
【０１２７】
５−４．警戒の解除
警戒の解除は、コントローラ１０が警戒モードＭ１に設定された状態で、第１操作手順によりＲＦＩＤタグ４０がかざされると実行される。具体的には、図１０（ｃ）に示すように、まず、起動ボタン３３が押されると、次に無線リーダ３０の確認信号出力手段３５としてのランプが、外出警戒モードＭ１ａを示す赤色、又は在宅警戒モードＭ１ｂを示す橙色に点灯する。
【０１２８】
この状態でＲＦＩＤタグ４０がかざされると、無線リーダ３０からコントローラ１０に、警戒解除モードＭ２に設定する信号（指令Ｃ）が送信される。設定が成功すると、警戒解除モードＭ２に設定された旨がコントローラ１０から無線リーダ３０に送信され、確認信号出力手段３５としてのランプが警戒解除モードＭ２を示す緑色に４秒間点灯する。その後、ランプは消灯する。
【０１２９】
５−５．エラー時、モード変更不許可時、及びモード変更失敗時
登録されていないカードがかざされた場合や、ループ情報Ｌが正常でないときにカードがかざされた場合、指令Ｃの送信に係る通信が正常に行えなかった場合などには、確認信号出力手段３５によりエラーである旨が出力される。具体的には、図１０（ｄ）に示すように、ブザーが「ピーピー」と鳴動するとともに、ランプが橙色に所定時間点滅する。
【０１３０】
なお、無線リーダ３０のカードリーダ部３７で読み取れないもの（例えば、ただの磁気カードなど）をかざした場合には、何も起きない。
【０１３１】
〔無線リーダの再利用について〕
以上のように、コントローラ１０の警備モードを変更するために利用可能な無線リーダ３０は、本実施形態においては、別家庭などにおける警備システムＳにおいて再利用することが容易に行えるように構成されている。以下ではこの特徴について説明する。
【０１３２】
本実施形態における無線リーダ３０は、通信開始時にコントローラ１０と相互認証を行うとともに、無線リーダ３０の記憶装置３２には接続先ＩＤとして１のコントローラＩＤしか記憶できないように構成される。このため、無線リーダ３０を他のコントローラ１０とペアリングしなおした場合には、無線リーダ３０に記憶されたコントローラＩＤが変わり、元のコントローラ１０とは相互認証が不可能となる。このため、元のコントローラ１０に記憶された接続先ＩＤには変更を加えずとも、新たな接続先ＩＤが記憶された無線リーダ３０は、元のコントローラ１０に影響を与えることもなく、新しいコントローラ１０との通信を行うことができる。
【０１３３】
実際に、無線リーダ３０が再利用されるような状況における無線リーダ３０の取り扱いについて一例を説明する。本実施形態に係る無線リーダ３０を用いる場合、１の警備システムＳにおいて利用されていた無線リーダ３０が不要となった場合には、当該警備システムＳの利用者により、警備システムＳの事業者に無線リーダ３０を送付してもらう。この際、利用者は無線リーダ３０に対して特段の操作を必要としない。
【０１３４】
警備システムＳの事業者は、利用者から送付された無線リーダ３０を、無線リーダ３０を必要とする別の警備システムＳが設置された場所に持っていき、当該警備システムＳに設けられたコントローラ１０とペアリングする。このようにするだけで、無線リーダ３０は、元のコントローラ１０と通信が成立することはなくなり、新たなコントローラ１０とのみ通信が可能となる。
【０１３５】
以上のように、本実施形態に係る無線リーダ３０では、無線リーダ３０の撤去時に、利用者宅にサービスマンが伺い、コントローラ１０と無線リーダ３０のペアリングを解除する作業を必要とせず無線リーダ３０を再利用するにあたり時間的コストや人件費が発生することを防ぐことができる。
【０１３６】
〔別実施形態〕
（１）上記実施形態においては、コントローラ１０が、接続先ＩＤとして無線リーダ３０のリーダＩＤを複数記憶する場合の一例を示したが、無線リーダ３０の接続先ＩＤは１つのみ記憶するように構成しても構わない。
【０１３７】
（２）上記実施形態においては、無線リーダ３０が電源３６として電池を用いる場合の一例を示したが、ＡＣ電源などの外部電源を用いて動作しても構わない。この場合無線リーダ３０には、間欠動作制御手段３１０を備えない構成として構わない。
【０１３８】
（３）上記実施形態においては、無線リーダ３０が、モード変更指令手段としてＲＦＩＤタグ４０を用いるカードリーダ部３７を備える場合の一例を示した。しかしながら、モード変更指令手段としてはカードリーダ部３７に限定されず、起動ボタン３３とは別に設けられたものであれば良い。例えば、利用者の指紋を読み取る指紋リーダなどの生体認証装置を備えても構わない。
【０１３９】
（４）上記実施形態においては、無線リーダ３０と検知手段２０とが別々に備えらえる場合の一例を示したが、無線リーダ３０に検知手段２０を内蔵させても構わない。具体的には、例えば、無線リーダ３０にパッシブセンサを内蔵させるなどしても構わない。
【０１４０】
（５）上記実施形態においては、無線リーダ３０が単に、コントローラ１０の警備モードを設定する装置として用いる場合の一例を示したが、その可搬性を有効活用し、コントローラ１０の警備モードを設定する機能以外の機能を備えても構わない。例えば、利用者が非常事態であることをコントローラ１０に伝達するための非常ボタン機能を備えても構わない。
【０１４１】
（６）上記実施形態においては、無線リーダ３０が単に、コントローラ１０の警備モードを設定する装置として用いる場合の一例を示した。無線リーダ３０を、警備システムＳと連動するように構成された機器を警備領域Ａ外から制御するための手段として利用しても構わない。具体的には、例えば、無線リーダ３０を警備領域Ａ外から操作した際に、コントローラ１０の外部接点出力端子Ｘを介して警備領域Ａ内のシャッターの開閉操作や、照明の入切、防犯カメラの起動などを行えるように構成しても構わない。
【０１４２】
この場合、コントローラ１０が外部接点出力端子Ｘから各種機器に制御信号が送信するタイミングは、無線リーダ３０から警戒モードＭ１に設定するための指令Ｃを受信した場合とすると良い。また別の構成としては、無線リーダ３０が各種機器を制御するための専用の指令を送信する機能を備え、コントローラ１０が当該専用の指令を受信した場合に外部接点出力端子Ｘから各種機器に制御信号が送信するとしても良い。
【産業上の利用可能性】
【０１４３】
警備領域内の異常を検知する検知手段からの出力に基づいて警備を行う警戒状態と、警備を行わない警戒解除状態とを含む複数の警備モードのうちのいずれかに設定可能に構成された警備装置と、前記警備装置の前記警備モードの設定を変更可能に構成された警備モード変更装置と、を備えた警備システムとして利用可能である。
【符号の説明】
【０１４４】
１０      ：コントローラ（警備装置）
１２      ：記憶装置（警備装置側記憶手段）
２０      ：検知手段
３０      ：無線リーダ（警備モード変更装置）
３２      ：記憶装置（変更装置側記憶手段）
３３      ：起動ボタン（起動手段）
３６      ：電源
３７      ：カードリーダ部（モード変更指令手段）
４０      ：ＲＦＩＤタグ（情報記憶媒体）
１１３    ：識別情報変更手段
３１０    ：間欠動作制御手段
３１２    ：警備状態取得手段
Ａ        ：警備領域
Ｃ        ：指令
Ｌ        ：ループ情報（変更可否情報）
Ｍ１      ：警戒モード（警戒状態）
Ｍ１ａ    ：外出警戒モード（警戒状態）
Ｍ１ｂ    ：在宅警戒モード（警戒状態）
Ｍ２      ：警戒解除モード（警戒解除状態）
Ｓ        ：警備システム
【図１】
2016048452.tif 000003
【図２】
2016048452.tif 000004
【図３】
2016048452.tif 000005
【図４】
2016048452.tif 000006
【図５】
2016048452.tif 000007
【図６】
2016048452.tif 000008
【図７】
2016048452.tif 000009
【図８】
2016048452.tif 000010
【図９】
2016048452.tif 000011
【図１０】
2016048452.tif 000012